(57)【要約】【課題】  ランプの交換が容易で、良好な美観を保持しつつ、器具効率の向上を図り得る照明器具を提供する。【解決手段】  直管型ランプ１と、この直管型ランプ１の口金２が挿入されるランプソケット３と、直管型ランプ１の装着時に直管型ランプ１の一端を一時的に、挿入、保持して前記直管型ランプの装着を容易化するランプ逃がし穴４と、前記ランプソケット３及び前記ランプ逃がし穴４とを備えた照明器具本体５とを有する照明器具において、前記ランプ逃がし穴４を、ランプソケット３と同じ高さ、或いはランプソケット３よりも上方に形成しているので、ランプの交換、装着が容易で、良好な美観を保持しつつ、器具効率の向上を図り得ることとなる。【選択図】図１
2006012441.tif 000002
【特許請求の範囲】
【請求項１】
直管型ランプと、前記直管型ランプの口金が挿入されるランプソケットと、前記直管型ランプの装着時に前記直管型ランプの一端を一時的に、挿入、保持して前記直管型ランプの装着を容易化するランプ逃がし穴と、前記ランプソケット及び前記ランプ逃がし穴とを備えた照明器具本体とを有する照明器具において、前記ランプ逃がし穴を、前記ランプソケットと同じ高さ、或いは前記ランプソケットよりも上方に形成したことを特徴とする照明器具。
【請求項２】
前記直管型ランプを複数個装着可能に形成したことを特徴とする請求項１記載の照明器具。
【発明の詳細な説明】
【技術分野】
【０００１】
本発明は、ランプの交換が容易で、良好な美観を保持しつつ、器具効率の向上を図り得る照明器具に関するものである。
【背景技術】
【０００２】
従前より、ランプ交換の容易化を図った照明器具については、例えば、特開平６−７６９０１号公報に開示するもの等、種々知られているが、特に、本体開口長［Ｌ］よりも直管型ランプ１のランプ長が長い器具の場合には、例えば、図６、図７に示すようにランプ逃がし穴［エンド開口穴］４をランプソケット３の下側に設けたものが、よく知られている。ここで、図６は、従来例に係る照明器具の構成の要部の概略を模式的に示す断面図である。また、図７は、従来例に係る照明器具における直管型ランプの装着の様子を概略的に示す図である。
【０００３】
この場合、直管型ランプ１の装着は、具体的には、図７に示す（Ａ）〜（Ｃ）の手順で簡便に行なうことができる。すなわち、（Ａ）ランプ逃がし穴［エンド開口穴］４に直管型ランプ１の一端を入れる。（Ｂ）上記直管型ランプ１の他の一端のランプピン８をランプソケット３の下側より装着する。（Ｃ）ランプ逃がし穴４側のランプピン８を対応するランプソケット３の下側より装着するというものである。その反面、かかる照明器具Ａ−０における上記ランプ装着の際、ランプ逃がし穴４をランプソケット３の下側に設ける関係上、ランプ逃がし穴４が下から見えて美観上好ましくないことに加えて、ランプ逃がし穴４が、ランプソケット３の下側に存在するため、直管型ランプ１の位置が高くなり、器具効率の向上が図れないという問題点が指摘されている。
【特許文献１】特開平６−７６９０１号公報
【発明の開示】
【発明が解決しようとする課題】
【０００４】
本発明は、上記背景技術に鑑みて発明されたものであり、その課題は、ランプの交換が容易で、良好な美観を保持しつつ、器具効率の向上を図り得る照明器具を提供することである。
【課題を解決するための手段】
【０００５】
上記課題を解決するために、請求項１に係る発明の照明器具にあっては、直管型ランプと、前記直管型ランプの口金が挿入されるランプソケットと、前記直管型ランプの装着時に前記直管型ランプの一端を一時的に、挿入、保持して前記直管型ランプの装着を容易化するランプ逃がし穴と、前記ランプソケット及び前記ランプ逃がし穴とを備えた照明器具本体とを有する照明器具において、前記ランプ逃がし穴を、前記ランプソケットと同じ高さ、或いは前記ランプソケットよりも上方に形成したことを特徴とするものである。
【０００６】
請求項２に係る発明の照明器具にあっては、請求項１記載の照明器具において、前記直管型ランプを複数個装着可能に形成したことを特徴とするものである。
【発明の効果】
【０００７】
本発明の照明器具では、直管型ランプと、前記直管型ランプの口金が挿入されるランプソケットと、前記直管型ランプの装着時に前記直管型ランプの一端を一時的に、挿入、保持して前記直管型ランプの装着を容易化するランプ逃がし穴と、前記ランプソケット及び前記ランプ逃がし穴とを備えた照明器具本体とを有する照明器具において、前記ランプ逃がし穴を、前記ランプソケットと同じ高さ、或いは前記ランプソケットよりも上方に形成しているので、ランプの交換、装着が容易で、良好な美観を保持しつつ、器具効率の向上を図り得ることとなる。
【発明を実施するための最良の形態】
【０００８】
以下、本発明の実施形態を図面に基づき説明する。なお、本発明の照明器具は、下記の実施形態にのみ限定されるものではなく、本発明の要旨を逸脱しない範囲内において種々変更を加え得ることは勿論である。
【０００９】
［第１の実施形態］
図１は、本発明の第１の実施形態である照明器具の概略を示すもので、（ａ）は、設置された照明器具の様子を概略的に示す斜視図、（ｂ）は、直管型ランプの装着の様子を模式的に示す図である。すなわち、本実施形態の照明器具Ａ−１では、直管型ランプ１と、この直管型ランプ１の口金２が挿入されるランプソケット３と、直管型ランプ１の装着時に直管型ランプ１の一端を一時的に、挿入、保持して前記直管型ランプの装着を容易化するランプ逃がし穴［エンド開口穴］４と、前記ランプソケット３及び前記ランプ逃がし穴４とを備えた照明器具本体５とを有する照明器具において、前記ランプ逃がし穴４を、ランプソケット３と同じ高さ、或いはランプソケット３よりも上方に形成するものである（本実施形態では、ランプ逃がし穴４を、ランプソケット３よりも上方に形成している［図１参照］）。
【００１０】
本実施形態においても、直管型ランプ１の交換、装着は、上記図７に示した従来例と略同様の手順で行なうことができる一方、上記従来例と異なり、ランプ逃がし穴４をランプソケット３よりも上方に形成するため、ランプ逃がし穴４が下から見える等の不都合は回避でき、良好な美観を保持し得ることとなる。さらに、ランプ逃がし穴４をランプソケット３よりも上方に形成するため、直管型ランプ１の位置を上記従来例よりも低くできるため、器具効率のさらなる向上を図り得ることとなる。
【００１１】
［第２の実施形態］
図２は、本発明の第２の実施形態である照明器具における直管型ランプの装着の様子を模式的に示す図である。すなわち、本実施形態の照明器具Ａ−２では、上記第１の実施形態に係る照明器具Ａ−１と同様に、直管型ランプ１、ランプ逃がし穴４、照明器具本体５を有する照明器具において、ランプ逃がし穴４をランプソケット３よりも上方に形成するものであり、且つ、ランプソケット３の増設により、直管型ランプ１を複数個（ここでは、３個）装着可能に形成したものである。
【００１２】
本実施形態においても、直管型ランプ１の交換、装着は、上記従来例及び上記第１の実施形態と略同様にして簡便に行なうことができる一方、上記第１の実施形態と同様、ランプ逃がし穴４をランプソケット３よりも上方に形成するため、ランプ逃がし穴４が下から見える等の不都合は回避でき、良好な美観を保持し得ることとなる。また、ランプ逃がし穴４をランプソケット３よりも上方に形成するため、直管型ランプ１の位置を上記従来例よりも低くでき、器具効率のさらなる向上を図り得ることとなる。さらに、上記第１の実施形態と比較して、ランプソケット３を増設して直管型ランプ１を複数個（３個）装着可能に形成しているので、１灯、２灯の兼用化をも可能とするものである。
【００１３】
［第３の実施形態］
図３は、本発明の第３の実施形態である照明器具における直管型ランプの装着の様子を模式的に示す図である。すなわち、本実施形態の照明器具Ａ−３では、上記第１の実施形態に係る照明器具Ａ−１と同様に、直管型ランプ１、ランプ逃がし穴４、照明器具本体５を有する照明器具において、ランプ逃がし穴４をランプソケット３よりも（斜め）上方に形成するものであり、且つ、ランプソケット３の増設により、直管型ランプ１を複数個（ここでは、２個）装着可能に形成したものである。
【００１４】
本実施形態においても、直管型ランプ１の交換、装着は、上記従来例及び上記第１、第２の実施形態と略同様にして簡便に行なうことができる一方、上記の実施形態と同様、ランプ逃がし穴４をランプソケット３よりも上方に形成するため、ランプ逃がし穴４が下から見える等の不都合は回避でき、良好な美観を保持し得ることとなる。また、ランプ逃がし穴４をランプソケット３よりも上方（斜め上方）に形成するため、直管型ランプ１の位置を上記従来例よりも低くでき、器具効率のさらなる向上を図り得ることとなる。さらに、上記第１の実施形態と比較して、ランプソケット３を増設して直管型ランプ１を複数個（２個）装着可能に形成しているので、１灯、２灯の兼用化をも可能とするものである。これに加えて、本実施形態では、ランプ逃がし穴４をランプソケット３よりも斜め上方に形成する一方、ランプソケット３を反射板７の角度に対応せしめ、内側に傾けることで、直管型ランプ１の良好な装着性を確保するようにしており、これは、特に、器具幅に制限がある場合等に有利であるといえる。
【００１５】
［第４及び第５の実施形態］
図４は、本発明の第４の実施形態である照明器具における直管型ランプの装着の様子を模式的に示す図である。すなわち、本実施形態の照明器具Ａ−４では、直管型ランプ１と、この直管型ランプ１の口金２が挿入されるランプソケット３と、直管型ランプ１の装着時に直管型ランプ１の一端を一時的に、挿入、保持して前記直管型ランプの装着を容易化するランプ逃がし穴［エンド開口穴］４と、前記ランプソケット３及び前記ランプ逃がし穴４とを備えた照明器具本体５とを有する照明器具において、前記ランプ逃がし穴４を、ランプソケット３と同じ高さ、或いはランプソケット３よりも上方に形成するものである（本実施形態では、ランプ逃がし穴４を、ランプソケット３と同じ高さに形成している［図４参照］）。
【００１６】
本実施形態においても、直管型ランプ１の交換、装着は、上記図７に示した従来例と略同様の手順で行なうことができる一方、上記従来例と異なり、ランプ逃がし穴４をランプソケット３と同じ高さに形成するため、ランプ逃がし穴４が下から見える等の不都合は回避でき、良好な美観を保持し得ることとなる。さらに、ランプ逃がし穴４をランプソケット３と同じ高さに形成するため、直管型ランプ１の位置を上記従来例よりも低くできるため、器具効率のさらなる向上を図り得ることとなる。これに加えて、本実施形態では、ランプ逃がし穴４をランプソケット３と同じ高さに形成するため、照明器具Ａ−４の高さ自体を上記従来例、或いは、上記第１乃至第３の実施形態よりも低くできるため、設置場所の梁下が低い場合等に、特に有利であるといえる。
【００１７】
一方、図５は、本発明の第５の実施形態である照明器具における直管型ランプの装着の様子を模式的に示す図である。本実施形態では、上記第４の実施形態と同様に、直管型ランプ１、ランプ逃がし穴４、照明器具本体５を有する照明器具において、ランプ逃がし穴４を、ランプソケット３と同じ高さに形成するものであり、且つ、ランプソケット３の増設により、直管型ランプ１を複数個（ここでは、２個）装着可能に形成したものである。
【００１８】
本実施形態においても、直管型ランプ１の交換、装着は、上記従来例及び上記の実施形態と略同様にして簡便に行なうことができる一方、上記第４の実施形態と同様、ランプ逃がし穴４をランプソケット３と同じ高さに形成するため、ランプ逃がし穴４が下から見える等の不都合は回避でき、良好な美観を保持し得ることができる。また、直管型ランプ１の位置を上記従来例よりも低くでき、器具効率のさらなる向上を図り得ることとなる。これに加えて、照明器具Ａ−５の高さ自体を上記従来例、或いは、上記第１乃至第３の実施形態よりも低くできるため、設置場所の梁下が低い場合等に、特に有利であるといえる。さらに、本実施形態においては、上記第４の実施形態と比較して、ランプソケット３を増設して直管型ランプ１を複数個（２個）装着可能に形成しているので、１灯、２灯の兼用化にも対応し得るものである。
【００１９】
以上のように、本発明の照明器具では、直管型ランプ１と、この直管型ランプ１の口金２が挿入されるランプソケット３と、直管型ランプ１の装着時に直管型ランプ１の一端を一時的に、挿入、保持して前記直管型ランプの装着を容易化するランプ逃がし穴［エンド開口穴］４と、前記ランプソケット３及び前記ランプ逃がし穴４とを備えた照明器具本体５とを有する照明器具において、前記ランプ逃がし穴４を、ランプソケット３と同じ高さ、或いはランプソケット３よりも上方に形成しているので、ランプの交換、装着が容易で、良好な美観を保持しつつ、器具効率の向上を図り得ることとなる。
【図面の簡単な説明】
【００２０】
【図１】本発明の第１の実施形態である照明器具の概略を示すもので、（ａ）は、設置された照明器具の様子を概略的に示す斜視図、（ｂ）は、直管型ランプの装着の様子を模式的に示す図である。
【図２】本発明の第２の実施形態である照明器具における直管型ランプの装着の様子を模式的に示す図である。
【図３】本発明の第３の実施形態である照明器具における直管型ランプの装着の様子を模式的に示す図である。
【図４】本発明の第４の実施形態である照明器具における直管型ランプの装着の様子を模式的に示す図である。
【図５】本発明の第５の実施形態である照明器具における直管型ランプの装着の様子を模式的に示す図である。
【図６】従来例に係る照明器具の構成の要部の概略を模式的に示す断面図である。
【図７】従来例に係る照明器具における直管型ランプの装着の様子を概略的に示す図である。
【符号の説明】
【００２１】
１    直管型ランプ
２    口金（直管型ランプ１）
３    ランプソケット
４    ランプ逃がし穴［エンド開口穴］
５    照明器具本体
６    Ｔバー
７    反射板
８    ランプピン（口金２）
Ａ      照明器具
Ａ−０  照明器具（従来例）
Ａ−１  照明器具
Ａ−２  照明器具
Ａ−３  照明器具
Ａ−４  照明器具
Ａ−５  照明器具
【図１】
2006012441.tif 000003
【図２】
2006012441.tif 000004
【図３】
2006012441.tif 000005
【図４】
2006012441.tif 000006
【図５】
2006012441.tif 000007
【図６】
2006012441.tif 000008
【図７】
2006012441.tif 000009